(57)【要約】【課題】 ホームヘルパーが訪問介護する場合、家族はホームヘルパーを出迎えるためにホームヘルパーが到着するまで自宅に待機しなければならないという問題がある。または被介護側の高齢者が一人暮らしの場合には、ホームヘルパーを玄関まで出迎えなければならず、体が動き難い高齢者にとっては、不便であるという問題がある。【解決手段】 ドアホン子機２は呼出ボタン２０２を押下した来訪者に対して応答し、ＩＤを受信した場合に、受信したＩＤとあらかじめ登録されているＩＤとの比較で合致かつ現在日時が来訪予定日時の条件に合致した場合にドアを開錠する。【選択図】 図２
2013074442.tif 000002
【特許請求の範囲】
【請求項１】
呼出ボタンを有するドアホン子機と前記ドアホン子機を収容するドアホン親機から成るドアホンシステムにおいて、
前記ドアホン親機は、
来訪予定の来訪者のＩＤもしくはパスワードと来訪予定日時を関連付けて登録する来訪予定登録手段と、
自ドアホンシステムが制御するドアを開錠するまたは自ドアホンシステムが備える来訪通知手段を起動する来訪対応手段を有し、
前記ドアホン子機は、
来訪者からＩＤもしくはパスワードを取得するＩＤパスワード取得手段と、
取得したＩＤもしくはパスワードを前記ドアホン親機へ通知するＩＤパスワード通知手段と、を有し、
前記呼出ボタンが押下された場合に、前記ドアホン子機は前記呼出ボタンを押下した来訪者から取得したＩＤもしくはパスワードを前記ドアホン親機へ通知し、
前記ドアホン親機は、前記ドアホン子機から通知されたＩＤもしくはパスワードが前記来訪予定登録手段に登録されているか否かを判定し、登録されていると判定し且つ現在の時刻が当該来訪者の来訪予定日時の条件に合致したならば、前記来訪対応手段を制御して前記ドアを開錠するまたは前記来訪通知手段を起動することを特徴とする来訪者対応機能を有するドアホンシステム。
【請求項２】
請求項１に記載のドアホンシステムにおいて、
前記ドアホン親機は、
前記来訪予定登録手段に登録する来訪者の連絡先に係る情報を予め登録する連絡先情報登録手段と、
ネットワークを介して前記連絡先情報登録手段に登録されている連絡先と通信する連絡先通信手段と、
ランダムな一時的なパスワードを生成する一時パスワード生成手段と、をさらに有し、
前記連絡先情報登録手段に登録されている連絡先から来訪予定日時に係る情報を受信した場合に、前記一時パスワード生成手段は一時的なパスワードを生成し、前記生成したパスワードを当該連絡先へ通知すると共に、前記生成したパスワードと前記来訪予定日時に係る情報を前記来訪者のＩＤと関連付けて前記来訪予定登録手段に登録することを特徴とする来訪者対応機能を有するドアホンシステム。
【発明の詳細な説明】
【技術分野】
【０００１】
本発明は、一般住宅等に設置されるドアホンシステムに関し、特にドア自動開錠技術に関する。
【背景技術】
【０００２】
ホームヘルパーが訪問介護する場合において、被介護側の家族はホームヘルパーを出迎えるためにホームヘルパーが到着するまで待機していなければならない。または被介護側の高齢者が一人暮らしの場合には、ホームヘルパーを玄関まで出迎えなければならず、体が動き難い高齢者にとっては、不便であるという問題がある。
【０００３】
これを解決する技術として例えば、特許文献１がある。特許文献１には、来訪者があったとき、応答する前に画像データをもとに来訪者を特定するドアホンシステムに係る技術がある。
【先行技術文献】
【特許文献】
【０００４】
【特許文献１】特開２００７−１０４３８４号公報
【発明の概要】
【発明が解決しようとする課題】
【０００５】
しかしながら、特許文献１の技術は、予め訪問する訪問者の画像データを登録し設定しておかなければならず、例えば、急に担当のヘルパーを変更する場合には利用できないという問題がある。
【０００６】
よって本発明の目的は、予定していた訪問者が急に変更された場合であっても利用可能なドアホンシステムの技術を提供することにある。
【課題を解決するための手段】
【０００７】
上記課題を解決するために、本発明は、呼出ボタンを有するドアホン子機と前記ドアホン子機を収容するドアホン親機から成るドアホンシステムにおいて、前記ドアホン親機は、来訪予定の来訪者のＩＤもしくはパスワードと来訪予定日時を関連付けて登録する来訪予定登録手段と、自ドアホンシステムが制御するドアを開錠するまたは自ドアホンシステムが備える来訪通知手段を起動する来訪対応手段を有し、前記ドアホン子機は、来訪者からＩＤもしくはパスワードを取得するＩＤパスワード取得手段と、取得したＩＤもしくはパスワードを前記ドアホン親機へ通知するＩＤパスワード通知手段を有し、前記呼出ボタンが押下された場合に、前記ドアホン子機は前記呼出ボタンを押下した来訪者から取得したＩＤもしくはパスワードを前記ドアホン親機へ通知し、前記ドアホン親機は、前記ドアホン子機から通知されたＩＤもしくはパスワードが前記来訪予定登録手段に登録されているか否かを判定し、登録されていると判定し且つ現在の時刻が当該来訪者の来訪予定日時の条件に合致したならば、前記来訪対応手段を制御して前記ドアを開錠するまたは前記来訪通知手段を起動することを特徴とする。
【発明の効果】
【０００８】
本発明によれば、予め訪問者がドアホン子機よりＩＤを入力すると、ドアホン親機はＩＤと共に来訪者の来訪予定日時があっている場合にドアを開錠する。したがって、被介護側の家族は訪問者を出迎えるために待機していなくともよい。また被介護側の高齢者がわざわざ玄関まで出向かなくてもよい。
【図面の簡単な説明】
【０００９】
【図１】本発明によるドアホンシステムの全体構成図である。
【図２】本発明によるドアホンシステムの親機および子機の内部ブロック構成図である。
【図３】本発明によるドアホン親機の動作フローチャートである。
【図４】本発明によるドアホン子機の動作フローチャートである。
【発明を実施するための形態】
【００１０】
以下、本発明の実施形態について図面を用いて説明する。
【００１１】
図１は本発明によるドアホンシステムの全体構成図である。
【００１２】
１は本発明によるドアホン親機（以下、親機）であって、屋内の居間等に設置され、居住者は本親機１を操作して来訪者と会話する。また、本親機１は、回線網３を介して、連絡先４と接続される。２は本発明によるドアホン子機（以下、子機）であって、門，玄関，入口等に設置され、来訪者は本子機２を介して屋内の居住者と会話する。５はドアである。
【００１３】
図２は本発明によるドアホンシステムの親機および子機の内部ブロック構成図である。
【００１４】
親機１は、主制御部１０１と、日時制御部１０２と、ＩＤ生成部１０３と、登録部１０４と、通信制御部１０５と、外線通話制御部１０６と、子機インターフェース１０７と、呼出ボタン受信部１０８と、通話制御部１０９と、親機スピーカ１１０と、親機マイク１１１と、ＩＤ受信部１１２と、ＩＤ比較部１１３と、ドア開錠制御部１１４とから構成される。
【００１５】
主制御部１０１は、日時制御部１０２、ＩＤ生成部１０３、登録部１０４、外線通話制御部１０６、呼出ボタン受信部１０８、通話制御部１０９、ＩＤ受信部１１２、ＩＤ比較部１１３、ドア開錠制御部１１４と接続し、各部の制御を行う。
【００１６】
日時制御部１０２は、現在の日時を管理し、主制御部１０１からの要求に応じて現在の日時を主制御部１０１に渡す。
【００１７】
ＩＤ生成部１０３は、ＩＤを生成し、通信制御部１０５へ渡す。
【００１８】
登録部１０４は、受信した来訪予定日時情報と、生成したＩＤを登録する。
【００１９】
外線通話制御部１０６は、通信制御部１０５と接続し、外線通話を行う。
【００２０】
呼出ボタン受信部１０８は、子機２からの呼出ボタンが押下された旨の信号を受信する。
【００２１】
通話制御部１０９は、親機スピーカ１１０と親機マイク１１１に接続され、居住者と来訪者間の通話を制御する。
【００２２】
ＩＤ受信部１１２は、子機２から通知されたＩＤを受信する。
【００２３】
ＩＤ比較部１１３は、登録部１０４に登録されているＩＤと、ＩＤ受信部で受信したＩＤを比較する。
【００２４】
ドア開錠制御部１１４は、主制御部１０１からの要求に応じてドアを開錠する。
【００２５】
１０５は回線網３を介して連絡先４と通信する通信制御部、１０７は子機２と繋がる子機インターフェース、１１０は子機２からの来訪者の音声を再生する親機スピーカ、１１１は本親機を操作する居住者の音声を入力する親機マイクである。
【００２６】
子機２は、親機インターフェース２０１と、呼出ボタン２０２と、子機マイク２０３と、子機スピーカ２０４と、操作部２０５とから構成される。
【００２７】
２０１は親機１と繋がる親機インターフェース、２０２は来訪者が来訪時に押下する呼出ボタン、２０３は来訪者の音声を入力する子機マイク、２０４は来訪者への音声を流す子機スピーカ、２０５は来訪者がＩＤ入力等の操作をする操作部である。
【００２８】
図３は本発明によるドアホン親機の動作フローチャートである。以下、図１，図２を併用し、親機１の動作について説明する。本フローは親機１の電源が投入された状態からスタートする（Ｓ３００）。
【００２９】
来訪予定日時情報受信モードでなければ（Ｓ３０１，ＮＯかつＳ３０２，ＮＯ）、本親機１は通常のドアホンとして動作する。この通常のドアホンとしての動作の詳細は省く。
【００３０】
来訪予定日時情報受信モードとは、通話中、ＤＴＭＦ信号等を受信すると日時情報として登録できる状態である。通話中に特定の操作があった場合（Ｓ３０２，ＹＥＳ）、来訪予定日時情報受信モードに移行する（Ｓ３０３）。
【００３１】
来訪予定日時情報受信モードで外線通話制御部１０６を介して通話中に、ＤＴＭＦ信号にて通話相手から来訪予定日時情報を受信すると（Ｓ３０４，ＹＥＳ）、主制御部１０１は、ＩＤ生成部１０３へ信号を送り、ＩＤ生成部１０３はＩＤを生成し（Ｓ３０５）、通信制御部１０５へ送る。通信制御部１０５は、生成したＩＤを、回線網３を介して通話相手に通知する（Ｓ３０６）。その後、生成したＩＤと来訪予定日時情報を登録部１０４に登録し（Ｓ３０７）、処理を終了する（Ｓ３０８）。
【００３２】
尚、本実施例ではステップ３０４でＤＴＭＦ信号から来訪予定日時情報を受信したが、本願はこれに限定されない。例えば、相手の音声信号を解析して来訪予定日時情報を取得するようにしてもよいし、メール受信機能を設けて受信したメールの本文またはタイトルに記載された来訪予定日時情報を取得するようにしてもよい。
【００３３】
尚、本実施例ではＩＤ生成部１０３がＩＤを生成して通話相手に通知しているが、本願はこれに限定されない。例えば、来訪予定日時情報とともにＩＤをＤＴＭＦ信号にて受信し、受信した来訪予定日時情報およびＩＤを登録部１０４に登録するようにしてもよい。
【００３４】
図４は本発明によるドアホン子機の動作フローチャートである。以下、図１，図２を併用し、子機２の動作について説明する。本フローは親機１、子機２の電源が投入された状態からスタートする（Ｓ４００）。
【００３５】
来訪者が呼出ボタン２０２を押下したことを呼出ボタン受信部１０８が受信すると（Ｓ４０１，ＹＥＳ）、主制御部１０１はさらに来訪者からＩＤの入力を待つ。
【００３６】
来訪者が操作部２０５にてＩＤを入力し、ＩＤ受信部１１２が受信すると（Ｓ４０２，ＹＥＳ）、主制御部１０１へ送る。主制御部１０１は当該ＩＤが登録部１０４に登録されているか検索し、ＩＤが登録されているならば、日時制御部１０２へ通知し、現在時刻が来訪予定日時の条件に合致しているか比較を行い、現在時刻が来訪予定日時の条件に合致したならば（Ｓ４０６，ＹＥＳ）、ドア開錠制御部１１４がドア５へ信号を送り、ドア５を開錠し（Ｓ４０７）処理を終了する（Ｓ４０８）。
【００３７】
以上、本発明の一実施の形態について説明した。
【００３８】
本発明では、予め登録部１０４にＩＤと来訪予定日時情報を対応付けて登録し、来訪者が来訪時に当該ＩＤを入力すると、親機１は入力されたＩＤと来訪予定日時の条件と照合し、合致した場合にのみ開錠する。これにより、ＩＤ（またはパスワード）と来訪時刻を判断して、ドアを開錠するので、より高いセキュリティを実現することができる。
【００３９】
また、本発明では、来訪者から来訪予定日時情報を受信すると、一時的なＩＤ（またはパスワード）をランダムに生成し、該ＩＤを来訪者へ通知する。
【００４０】
これにより、例えば来訪するヘルパーが急に変更になった場合であってもドアを開錠することができる。
【符号の説明】
【００４１】
１・・・本発明によるドアホン親機
２・・・本発明によるドアホン子機
３・・・回線網
４・・・連絡先
５・・・ドア
１０１・・・主制御部
１０２・・・日時制御部
１０３・・・ＩＤ生成部
１０４・・・登録部
１０５・・・通信制御部
１０６・・・外線通話制御部
１０７・・・子機インターフェース
１０８・・・呼出ボタン受信部
１０９・・・通話制御部
１１０・・・親機スピーカ
１１１・・・親機マイク
１１２・・・ＩＤ受信部
１１３・・・ＩＤ比較部
１１４・・・ドア開錠制御部
２０１・・・親機インターフェース
２０２・・・呼出ボタン
２０３・・・子機マイク
２０４・・・子機スピーカ
２０５・・・操作部
【図１】
2013074442.tif 000003
【図２】
2013074442.tif 000004
【図３】
2013074442.tif 000005
【図４】
2013074442.tif 000006